(57)【要約】【課題】  カーテンフックの挿入を容易とし、楽な作業で季節に応じて所望される風合いのカーテンに交換容易なカーテンを提供することである。【解決手段】  カーテンの上部２にフック挿入部を備えるカーテンにおいて、前記フック挿入部３の入口部分に目印を設けたカーテン１とした。【選択図】図１
0003138470.tif 000002
【実用新案登録請求の範囲】
【請求項１】
カーテンの上部にフック挿入部を備えるカーテンにおいて、前記フック挿入部の入口部分に目印を設けたことを特徴とするカーテン。
【請求項２】
前記目印が着色部からなることを特徴とする請求項１に記載のカーテン。
【請求項３】
前記目印がシールもしくはワッペンであることを特徴とする請求項１に記載のカーテン。
【請求項４】
前記フック挿入部が、カーテン上部に設ける芯地部材に形成されていることを特徴とする請求項１から３のいずれかに記載のカーテン。
【請求項５】
前記目印を、前記フック挿入部の入口部分から挿入方向の直線状に複数設けたことを特徴とする請求項１から４のいずれかに記載のカーテン。
【考案の詳細な説明】
【技術分野】
【０００１】  本考案は、カーテンに係り、特にカーテンフックを容易に装着可能とするカーテンに関するものである。
【背景技術】
【０００２】  従来、カーテンは、その上部にカーテンフックを装着するフック挿入部が設けられている。通常、このフック挿入部は、下側に開口入口部を有するポケット状であって、この入口部から上側に向けてカーテンフックを差し込んで、カーテンレールに装着されている吊具に引っ掛けて装着する構成とされている。また、カーテン地の強度を増加するためにカーテン上部に芯地が装着されているカーテンもあり、この場合には、この芯地部分にフック挿入部を設けている。【０００３】  そのために、カーテンをレールに吊り下げる際には、カーテン上部のフック挿入部にカーテンフックを差し込んだ後で、カーテンフックを持って、該フックとカーテンとを同時に持ち上げてレールに装着する作業が必要である。【０００４】  また、日本では四季の変化が明瞭であり、その季節毎に、カーテンの模様や色合いを変更するために、カーテンを取り替えることが頻繁に行われている。さらに、インテリア性を高めるために所望のカーテン地に定期的に交換することも行われている。【０００５】  そのために、カーテンの着脱を容易とするために、カーテン上部の片方の面に、等間隔に複数の穴を設けて、横棒を介して吊り下げ可能とし、カーテンフックを使用せずに取付可能とするカーテンが既に出願されている（例えば、特許文献１参照）。
【特許文献１】  特開２００６−１３６３５７号公報
【考案の開示】
【考案が解決しようとする課題】
【０００６】  一般にカーテンは、その上部に装着されたフックを、カーテンレールの吊具に引っ掛けて吊り下げられている。そのために、カーテンを装着する際には、重たいカーテンを持ち上げる作業や、足台や椅子に乗って手を伸ばしてフックを装着する作業等を行う必要があり、家庭の主婦や高齢者にとっては、容易な作業ではない。【０００７】  また、カーテンにフックを装着する際に、カーテン上部のフック挿入部にそれぞれカーテンフックを差し込んでいく操作が必要であって、フック挿入部の位置を確認しながら、一個一個のカーテンフックを装着する面倒な作業となり、楽な作業ではなかった。【０００８】  本考案の目的は、上記問題点に鑑み、カーテンフックの挿入を容易とし、楽な作業で季節に応じて所望される風合いのカーテンに交換容易なカーテンを提供することである。
【課題を解決するための手段】
【０００９】  上記の目的を達成するために請求項１に係る考案は、カーテンの上部にフック挿入部を備えるカーテンにおいて、前記フック挿入部の入口部分に目印を設けたことを特徴としている。【００１０】  上記の構成を有する請求項１に係る考案によれば、カーテンフックの挿入部を容易に確認可能となって、カーテンフックの装着が容易なカーテンを得ることができる。【００１１】  請求項２に係る考案は、前記目印が着色部からなることを特徴としている。【００１２】  上記の構成を有する請求項２に係る考案によれば、カーテンフックの挿入部が一目瞭然であって目視容易となり、カーテンフックの装着が簡単となる。【００１３】  請求項３に係る考案は、前記目印がシールもしくはワッペンであることを特徴としている。【００１４】  上記の構成を有する請求項３に係る考案によれば、既成のカーテンであっても、カーテンフックの挿入部に所定色のシールもしくはワッペンを貼付して、カーテンフックの装着が容易なカーテンを得ることができる。【００１５】  請求項４に係る考案は、前記フック挿入部が、カーテン上部に設ける芯地部材に形成されていることを特徴としている。【００１６】  上記の構成を有する請求項４に係る考案によれば、フック挿入部を有する芯地部材を備えるカーテンの場合には、芯地部材のみに目印を設ければよく、そのフック挿入部の入口部分に目印を設けることで、カーテンフックを装着容易なカーテンを形成することができる。【００１７】  請求項５に係る考案は、前記目印を、前記フック挿入部の入口部分から挿入方向の直線状に複数設けたことを特徴としている。【００１８】  上記の構成を有する請求項５に係る考案によれば、カーテンフックの挿入方向が一目瞭然となって、カーテンフックの装着がさらに容易となる。
【考案の効果】
【００１９】  本考案によれば、カーテンフックの挿入部を容易に確認可能となって、カーテンフックの装着が容易なカーテンを得ることができる。
【考案を実施するための最良の形態】
【００２０】  以下、本考案に係るカーテンの実施の形態について、図面に基づいて詳細に説明する。【００２１】  図１には本考案に係るカーテンの第一の実施例を示し、図２に第二の実施例を示し、図３に第三の実施例を示している。【００２２】  図１に示す本考案に係るカーテン１は、カーテン上部２に設けるフック挿入部３の目印４として入口部分に矩形の着色部からなる目印４Ａを設けた構成とされている。この構成であれば、カーテンフックの挿入部を容易に確認可能となって、カーテンフックの装着が容易なカーテンを構成することができる。【００２３】  目印４としては、カーテン地に設けるフック挿入部３の入口部分を直接色柄部としてもよいが、フック挿入部３を形成後に、その入口部にシールやワッペンを貼付する構成としてもよい。この構成であれば、既成のカーテンであっても、カーテンフックの挿入入口部に所定色のシールもしくはワッペンを貼付することで、カーテンフックの装着が容易なカーテンを得ることができる。【００２４】  また、目印４は、図２に示すように、フック挿入部３の入口部分から挿入方向の上部に向けて直線状に複数設ける目印４Ｂでもよく、図３に示すような、フック挿入部３全体を色表示する目印４Ｃであってもよい。【００２５】  この構成であれば、カーテンフックの挿入方向が一目瞭然となって、カーテンフックの装着がさらに容易となり好適となる。【００２６】  フック挿入部３はカーテン上部に直接設ける構成であってもよいが、カーテン上部に芯地部材を設けるカーテンであれば、芯地部材に形成するフック挿入部の入口部分に目印４（４Ａ、４Ｂ、４Ｃ）を設けることで、カーテンフックを装着容易なカーテンとすることができる。【００２７】  また、芯地部材にフック挿入部を設け、その入口部に目印を設ける構成であれば、その芯地部材を他のカーテンに用いることも容易であり、着せ替え式のカーテンとして有効な構成となる。【００２８】  いずれにしても、フック挿入部に視認容易な目印を設けているので、カーテンフックの装着を容易に簡単に行うことができる。そのために、カーテン１の吊り下げ作業を容易に行うことができる。【００２９】  上記したように本考案によれば、カーテン上部のフック挿入部の入口部分に目印を設けたので、カーテンフックの挿入部を容易に確認可能となって、カーテンフックの装着が容易なカーテンを得ることができる。【００３０】  さらには、前記目印としてシールもしくはワッペンを用いることで、既成のカーテンであっても、カーテンフックの挿入部に所定色のシールもしくはワッペンを貼付して、カーテンフックの装着が容易なカーテンを得ることができる。
【図面の簡単な説明】
【００３１】
【図１】  本考案に係るカーテンの第一の実施例を示す一部拡大図である。
【図２】  本考案に係るカーテンの第二の実施例を示す。
【図３】  本考案に係るカーテンの第三の実施例を示す。
【符号の説明】
【００３２】          １  カーテン
２  カーテン上部
３  フック挿入部
４  目印
４Ａ、４Ｂ、４Ｃ  目印
【図１】
0003138470.tif 000003
【図２】
0003138470.tif 000004
【図３】
0003138470.tif 000005